(57)【要約】【課題】  発汗作用による湿気を素早く吸湿すると同時に吸収した水分を吸湿する側とは反対側から発散させることができる吸湿性と通水性とに優れた敷パッドを提供する。【解決手段】  表編地と裏編地とが連結糸で連結されて該連結糸により表・裏編地間の間隔が保持されて形成されてなる二重編地の厚さ方向に貫通穴が多数形成されて表編地側に開口していると共に裏編地がメッシュ状となっている通気性と反発性とを備えたクッション層と該クッション層の裏編地側に積層された架橋アクリル酸ナトリウム塩系繊維からなる吸湿性を備えた不織布層と該不織布層に積層された綿体を内包した透湿性を備えた表地層とにより構成されていて前記表地層を通って前記不織布層に吸着された湿気が前記クッション層の貫通穴から放出できる構造の敷パッド。【選択図】  図１
2005087305.tif 000002
【特許請求の範囲】
【請求項１】
表編地と裏編地とが連結糸で連結されて該連結糸により表・裏編地間の間隔が保持されて形成されてなる二重編地の厚さ方向に貫通穴が多数形成されて表編地側に開口していると共に裏編地がメッシュ状となっている通気性と反発性とを備えたクッション層と該クッション層の裏編地側に積層された架橋アクリル酸ナトリウム塩系繊維からなる吸湿性を備えた不織布層と該不織布層に積層された綿体を内包した透湿性を備えた表地層とにより構成されていて前記表地層を通って前記不織布層に吸着された湿気が前記クッション層の貫通穴から放出できる構造となっていることを特徴とする敷パッド。
【発明の詳細な説明】
【技術分野】
【０００１】
本発明は、吸湿性及び通水性に優れた敷パッドに関するものである。
【背景技術】
【０００２】
周知の通り、人は就寝中に発汗作用により大量の水分を発散しており、これらの水分は敷布団に吸収されるが、湿気を帯びた敷布団は利用者に不快感を与えるので、敷布団を定期的に干す習慣がある。また、不快感のない快適な就寝を保持するために、敷布団の上や下に敷いて該敷布団の湿気を吸収する吸水性を備えたシートが開発されており、例えば、可撓性で透湿性の第１シートと可撓性で透湿性もしくは不透湿性の第２シートとを両面に有してその間に吸水性ポリマーを含有して成る快眠シートが提案されている（特許文献１参照）。
【０００３】
前記吸水性ポリマーとして、吸湿・放湿性に優れた架橋アクリル酸ナトリウム塩系繊維製不織布体（ベルオアシス：登録商標：鐘紡株式会社製）が市販されている。また、表裏二層の編地と該二層の編地を間隔をあけて連結する連結糸から構成される二重編地から成り、適度な嵩高性と反発性を有しながら通気性能を向上した充填材も提案（特許文献２参照）されていると共に、商品化されている（フュージョン：登録商標：旭化成工業株式会社製）。
【０００４】
【特許文献１】特開昭６０−１６５９０８号公報
【特許文献２】特許第２７２０９８５号公報
【発明の開示】
【発明が解決しようとする課題】
【０００５】
前記従来の快眠シートは、両面を同程度の透湿性を有する材質の層で形成されているか、或いは、片面を不透湿性を有する材質の層で形成されているので、両面を透湿性層で形成した快眠シートにおいては、吸水性ポリマーが吸収した水分が両側の透湿性層から同じように放出することとなり、吸湿する側の透湿性層からも発散するので、吸水性ポリマーが保水状態になるに従って徐々に湿気が漂い不快感を感じるという問題点があった。また、片面を不透湿性層で形成した快眠シートにおいては、吸水性ポリマーが吸収した水分は発散しにくいので、中に溜まり易く湿気により不快感を感じるという問題点があった。
【０００６】
そこで、本発明は、発汗作用による湿気を素早く吸湿すると同時に吸収した水分を吸湿する側とは反対側から発散させることができる吸湿性と通水性とに優れた敷パッドを得ることを技術的課題として、その具現化をはかるべく研究・実験を重ねた結果、吸湿・放湿性に優れた架橋アクリル酸ナトリウム塩系繊維により保水の働きをさせる不織布層を形成し、該不織布層を綿体を内包した透湿性を備えた表地層と適度な嵩高性と反発性を有しながら通気性能を向上した前記従来の充填材の層とにより挟むように積層すれば、発汗作用で発散した湿気が前記表地層から取り込まれて前記不織布層に吸収された水分が前記充填材層から蒸発して表地層から充填材層への湿気の流れが生じて利用者には不快感の無い快適な就寝が得られるという刮目すべき知見を得、前記技術的課題を達成したものである。
【課題を解決するための手段】
【０００７】
前記技術的課題は、次の通りの本発明によって解決できる。
【０００８】
即ち、本発明に係る敷パッドは、表編地と裏編地とが連結糸で連結されて該連結糸により表・裏編地間の間隔が保持されて形成されてなる二重編地の厚さ方向に貫通穴が多数形成されて表編地側に開口していると共に裏編地がメッシュ状となっている通気性と反発性とを備えたクッション層と該クッション層の裏編地側に積層された架橋アクリル酸ナトリウム塩系繊維からなる吸湿性を備えた不織布層と該不織布層に積層された綿体を内包した透湿性を備えた表地層とにより構成されていて前記表地層を通って前記不織布層に吸着された湿気が前記クッション層の貫通穴から放出できる構造となっているものである。
【発明の効果】
【０００９】
本発明によれば、発汗作用による湿気を素早く吸湿すると同時に吸収した水分を吸湿する側とは反対側から発散させることができる吸湿性と通水性とに優れ、不快感の無い快適な就寝が得られる敷パッドを提供することができる。
【００１０】
従って、本発明の産業上利用性は非常に高いといえる。
【発明を実施するための最良の形態】
【００１１】
以下、本発明の実施の形態を図面に基づき説明する。
【００１２】
図１は本発明の実施の形態に係る敷パッドを模型的に示した縦断面図であり、これらの図において、１は敷パッドであり、該敷パッド１は、表編地２と裏編地３とが連結糸４で連結されて該連結糸４により表・裏編地間の間隔が保持されて形成されてなる二重編地の厚さ方向に貫通穴５が多数形成されて表編地２側に開口していると共に裏編地３がメッシュ状となっている通気性と反発性とを備えたクッション層（フュージョン：登録商標：旭化成工業株式会社製）６と、該クッション層６の裏編地３側に積層されて架橋アクリル酸ナトリウム塩系繊維からなる吸湿性を備えた不織布層（ベルオアシス：登録商標：鐘紡株式会社製）７と、該不織布層７に積層されて表地を綿生地８とし裏地を不織布地９として綿体10を内包してキルティングを施した透湿性を備えた表地層11とにより構成されている。そして、表地層11と不織布層７とクッション層６とはミシン縫いされている。
【００１３】
前記敷パッド１は、透湿性を備えた表地層11と通気性と反発性とを備えたクッション層６とにより、吸湿性を備えた保水の働きをする不織布層７を挟んで構成されているので、発汗作用で発散した湿気が表地層11から取り込まれて不織布層７に吸収され、該不織布層７に溜まった水分はクッション層６から蒸発するから、表地層11からクッション層６への湿気の流れが生じて利用者には不快感の無い快適な就寝が得られることとなる。
【実施例】
【００１４】
先ず、綿生地８として綿100 ％プリント生地 102cm×202cm を、綿体10としてポリエステル綿300gを、不織布地９としてポリエステル100 ％，目付20g/m2の不織布 102cm×202cm を、それぞれ用意した。
【００１５】
そして、前記綿生地８と前記不織布地９との間に前記樹脂綿10を挟んでキルティングを施して 101cm×201cm の透湿性を備えた表地層11を縫製した。
【００１６】
次に、クッション層６として表編地２と裏編地３とが連結糸４で連結されて該連結糸４により表・裏編地間の間隔が保持されて形成されてなる二重編地の厚さ方向に貫通穴５が多数形成されて表編地２側に開口していると共に裏編地３がメッシュ状となっている通気性と反発性とを備えた布地製品フュージョン（前出）101cm ×201cm を、不織布層７として架橋アクリル酸ナトリウム塩系繊維からなる吸湿性を備えた厚さ６mmの不織布体ベルオアシス（前出）100cm ×200cm を、それぞれ用意した。
【００１７】
そして、前記クッション層６の裏編地３側に前記不織布層７を積層し、当該不織布層７に前記表地層11をその不織布地９面が不織布層７面側に位置するように積層した後、全体を方形にミシン縫いすると共に、周囲を幅60mm，長さ620cm ヘム地（生地名：三菱レーヨン・マーブルAT747 ：アセテート70％，ポリエステル30％）にて縁処理して 100cm×200cm の敷パッド１を得た。
【００１８】
ここで得た敷パッド１を215mm ×305mm に切断して被試験片とし、当該試験片の表地層11からフュージョン６へ向かっての吸・放湿性能を次の条件によって測定した。
【００１９】
測定条件：20℃×50％RH×12hr（調湿）→30℃×90％RH×24hr（吸湿）→20℃×50％RH×24hr（放湿）→70℃（乾燥）。
【００２０】
測定結果は、最大吸湿量17g （261g/m2 ）であり、吸・放湿速度は、乾燥重量102.20g に対して、吸湿０hr：106.44g ，0.5hr ：109.43g ，１hr：110.96g ，２hr：113.01g ，３hr：114.30g ，５hr：115.97g ，７hr：117.03g ，10hr：118.03g ，15hr：118.85g ，24hr：119.30g 、放湿24.5hr：115.90g ，25hr：114.16g ，26hr：111.45g ，27hr：109.22g ，29hr：107.20g ，31hr：106.87g ，34hr：106.68g ，39hr：106.64g ，48hr：106.58g であって、略同じ速さで吸・放湿されている。
【００２１】
従って、ここで得た敷パッド１は、発汗作用による湿気を素早く吸湿すると同時に吸収した水分を吸湿する側とは反対側から発散させることができる吸湿性と通水性に優れた敷パッドであることが確認できる。
【産業上の利用可能性】
【００２２】
不快感のない快適な就寝を保持するために敷布団の上や下に敷いて敷布団の湿気を効率良く吸収する敷パッドが提供できる。
【図面の簡単な説明】
【００２３】
【図１】本発明の実施の形態に係る敷パッドを模型的に示した縦断面図である。
【符号の説明】
【００２４】
１  敷パッド
２  表編地
３  裏編地
４  連結糸
５  貫通穴
６  クッション層（フュージョン）
７  不織布層（ベルオアシス）
８  綿生地
９  不織布地
１０  綿体
１１  表地層
【図１】
2005087305.tif 000003